(57)【要約】【課題】外輪の内周面と、保持器の環状部の外周面との潤滑性を向上できて、保持器の外周面の焼付きを抑制できる転がり軸受を提供すること。【解決手段】保持器４の軸方向のオイルエアＡ導入側に位置する第１環状部１１の軸方向の外方の端面に、軸方向の外方に開口する環状溝１５を形成する。また、第１環状部１１に、環状溝１５と、外輪１に案内される上記第１環状部１１の外周面とを連通する複数の通路１６を形成する。第１環状部１１において、各通路１６を略径方向に延在するように形成する。第１環状部１１において、複数の通路１６を、周方向に略同一の間隔で間隔をおいて配置する。【選択図】図１
2010053930.tif 000002
【特許請求の範囲】
【請求項１】
軌道面を内周面に有する外輪と、
軌道面を外周面に有する内輪と、
上記外輪の軌道面と、上記内輪の軌道面との間に配置された複数の転動体と、
上記複数の転動体を保持する保持器と
を備え、
上記保持器は、上記外輪の上記内周面に案内される外周面を有する環状部を有し、
上記環状部は、
上記環状部の軸方向の外方側の端面に位置して上記軸方向の外方に開口する凹部と、
上記凹部と上記環状部の上記外周面とを連通する一以上の通路と
を有することを特徴とする転がり軸受。
【請求項２】
請求項１に記載の転がり軸受において、
上記凹部は、環状溝であり、
上記環状部は、複数の上記通路を有し、
上記各通路は、略上記環状部の径方向に延在し、
上記複数の通路は、上記環状部の周方向に略等間隔に配置されていることを特徴とする転がり軸受。
【発明の詳細な説明】
【技術分野】
【０００１】
本発明は、転動体を有する転がり軸受に関し、特に、工作機械の主軸を回転自在に支持するのに使用されれば好ましい転がり軸受に関する。
【背景技術】
【０００２】
従来、転がり軸受としては、特開２００５−９８４５３号公報（特許文献１）に記載されている円筒ころ軸受がある。
【０００３】
この円筒ころ軸受は、外輪、内輪、複数の円筒ころおよび保持器を備え、上記複数の円筒ころは、上記保持器によって保持された状態で、外輪と内輪との間に配置されている。上記保持器は、第１環状部、第２環状部および複数の柱部を有し、上記複数の柱部は、第１環状部と第２環状部とを連結している。上記複数の柱部は、第１環状部の周方向に互いに間隔をおいて位置している。
【０００４】
上記各環状部は、その環状部の内周面と外周面との間を連通する通路を有している。この円筒ころ軸受は、この通路を介して、内輪と各環状部の内周面との間に存在する潤滑剤を遠心力で各環状部の外周面側に移動させて、外輪の内周面と各環状部の外周面とを潤滑するようになっている。このようにして、特に、保持器の環状部の外周面の焼付きを抑制するようにしている。
【０００５】
このような背景において、保持器を外輪で案内する転がり軸受において、外輪の内周面と環状部の外周面との潤滑性を更に向上し、保持器の外周面の焼付きを更に抑制して欲しいという要請がある。
【０００６】
また、特に、回転軸が数万回転の回転速度で回転する工作機械の主軸支持用の転がり軸受において、保持器の挙動を安定させて、低トルクを実現して欲しいという要請がある。
【特許文献１】特開２００５−９８４５３号公報（第１図、第２図）
【発明の開示】
【発明が解決しようとする課題】
【０００７】
そこで、本発明の課題は、外輪の内周面と、保持器の環状部の外周面との潤滑性を向上できて、保持器の外周面の焼付きを抑制できる転がり軸受を提供することにある。
【０００８】
また、本発明の課題は、高速回転している回転軸を支持するのに使用した場合において、外輪の内周面と、保持器の環状部の外周面との潤滑性を向上できることに加えて、保持器の挙動の安定性に優れる転がり軸受を提供することにある。
【課題を解決するための手段】
【０００９】
上記課題を解決するため、この発明の転がり軸受は、
軌道面を内周面に有する外輪と、
軌道面を外周面に有する内輪と、
上記外輪の軌道面と、上記内輪の軌道面との間に配置された複数の転動体と、
上記複数の転動体を保持する保持器と
を備え、
上記保持器は、上記外輪の上記内周面に案内される外周面を有する環状部を有し、
上記環状部は、
上記環状部の軸方向の外方側の端面に位置して上記軸方向の外方に開口する凹部と、
上記凹部と上記環状部の上記外周面とを連通する通路と
を有することを特徴としている。
【００１０】
本発明によれば、上記環状部の軸方向の外方の端面が軸方向の外方側に開口する凹部を有しているから、外輪と内輪との間に向けて、軸方向の外方から軸方向に供給されるオイルエアを、円滑に上記凹部に導くことができる。また、凹部に浸入したオイルエアを、凹部よりもオイルエアの流れにおいて下流側に位置する上記通路を介して、外輪に案内される環状部の外周面に円滑に供給できる。したがって、外輪と内輪との間に向けて、軸方向の外方から軸方向に供給されるオイルエアを、従来よりも、より多くかつより円滑に、上記環状部の外周面に供給できる。したがって、従来よりも外輪に案内される保持器の外周面の焼付きの可能性を格段に小さくすることができる。
【００１１】
また、オイルエアを保持器の外周面（外輪案内面）へ効率良く供給することがで、オイルエアの量を低減することができる。したがって、環境の保全に寄与することができる。
【００１２】
また、一実施形態では、
上記凹部は、環状溝であり、
上記環状部は、複数の上記通路を有し、
上記各通路は、略上記環状部の径方向に延在し、
上記複数の通路は、上記環状部の周方向に略等間隔に配置されている。
【００１３】
上記実施形態によれば、上記凹部は、環状溝であり、上記環状部は、複数の上記通路を有し、上記各通路は、略径方向に延在し、上記複数の通路は、周方向に略等間隔に配置されているから、各通路から吹き出すオイルエアの流れの方向が径方向になり、かつ、複数の通路から吹き出すオイルエアの量が、周方向において略均等になる。したがって、保持器の挙動を安定させることができて、保持器のオイルエアの攪拌抵抗を低減できて、トルクを低減できる。
【発明の効果】
【００１４】
本発明の転がり軸受によれば、外輪と内輪との間に向けて、軸方向の外方から軸方向に供給されるオイルエアを、従来よりも、外輪に案内される保持器の環状部の外周面に、より多くかつより円滑に供給できて、従来よりも上記保持器の環状部の外周面の焼付きの可能性を格段に小さくすることができる。
【発明を実施するための最良の形態】
【００１５】
以下、本発明を図示の形態により詳細に説明する。
【００１６】
図１は、本発明の転がり軸受の一実施形態であるアンギュラ玉軸受の軸方向の模式断面図である。
【００１７】
このアンギュラ玉軸受（以下、単に玉軸受という）は、外輪１と、内輪２と、複数の転動体としての複数の玉３と、保持器４とを備える。
【００１８】
上記外輪１は、工作機械のハウジング（図示せず）の内周面に内嵌されている。上記外輪１は、その内周面の軸方向の中央部に軌道面である軌道溝を有している。一方、上記内輪２は、工作機械の主軸（図示せず）の外周面に外嵌されており、上記主軸の回転に伴って回転するようになっている（主軸と同期回転するようになっている）。上記内輪２は、その外周面の軸方向の略中央に軌道面である軌道溝を有している。上記複数の玉３は、内輪２の軌道溝と、外輪１の軌道溝との間に、保持器４によって保持された状態で、互いに周方向に間隔をおいて配置されている。この玉軸受は、周知の方法（説明は省略）で、軸方向の外方の一方の側から他方の側に、外輪１と内輪２との間に向けて、オイルエアＡが供給されるようになっている。
【００１９】
上記保持器４は、第１環状部１１と、第２環状部１２と、複数の柱部（図示せう）とを有し、上記複数の柱部は、第１環状部１１と、第２環状部１２とを連結している。上記複数の柱部は、第１環状部１１の周方向に互いに間隔をおいて位置している。上記第１環状部１１の外周面は、外輪１の内周面に案内されている。
【００２０】
上記第１環状部１１は、オイルエアの流れにおいて第２環状部１２よりも上流側に位置している。上記第１環状部１１は、凹部の一例としての環状溝１５と、複数の通路１６とを有している。上記環状溝１５は、第１環状部１１の軸方向の外方の端面に形成されている。上記環状溝１５は、軸方向の断面において断面略矩形の形状を有している。上記環状溝１５は、軸方向の外方に開口している。
【００２１】
上記各通路１６は、略第１環状部１１の径方向に延在している。上記各通路１６は、環状溝１５と、第１環状部１１の外周面との間を連通している。上記複数の通路１６は、第１環状部１１の周方向に略同一の間隔で離間されて配置されている。上記各通路１６は、延在方向の断面において断面略円形の形状を有している。
【００２２】
上記実施形態の玉軸受によれば、第１環状部１１の軸方向の外方の端面が軸方向の外方側に開口する環状溝１５を有しているから、外輪１と内輪２との間に向けて、軸方向の外方から軸方向に供給されるオイルエアを、環状溝１５に円滑に導くことができる。また、上記環状溝１５に浸入したオイルエアを、環状溝１５よりもオイルエアの流れにおいて下流側に位置する複数の通路１６を介して、外輪１に案内される第１環状部１１の外周面に円滑に供給できる。したがって、上記外輪１と内輪２との間に向けて、軸方向の外方から軸方向に供給されるオイルエアを、従来よりも、より多くかつより円滑に、上記第１環状部１１の外周面に供給でき、上記第１環状部１１の外周面の焼付きの可能性を格段に小さくすることができる。
【００２３】
また、オイルエアを、外輪１に案内される保持器４の第１環状部１１の外周面へ効率良く供給することができるから、オイルエアの量を低減することができる。したがって、環境の保全に寄与することができる。
【００２４】
また、上記実施形態の玉軸受によれば、第１環状部１１が、環状溝１５と、複数の通路１６を有し、各通路１６が、略径方向に延在し、複数の通路１６が、周方向に略等間隔に配置されているから、各通路１６から吹き出すオイルエアの流れの方向が径方向になり、かつ、複数の通路１６から吹き出すオイルエアの量が、周方向において略均等になる。したがって、上記保持器４の挙動を安定させることができて、保持器４のオイルエアの攪拌抵抗を低減できて、トルクを低減できる。
【００２５】
尚、上記実施形態の玉軸受では、第１環状部１１の軸方向の外方の端面に形成された凹部が、環状溝１５であったが、この発明では、環状部の軸方向の外方の端面に形成される凹部は、環状の形状でなくても良い。
【００２６】
また、上記実施形態の玉軸受では、凹部の一例としての環状溝１５と、第１環状部１１の外周面とを連通する各通路１６が、略径方向に延在していたが、この発明では、環状部の凹部と環状部の外周面とを連通する各通路は、略径方向に延在していなくても良く、環状部の軸方向の端面に形成された凹部と環状部の外周面とを連通してさえいれば、如何なる形状および如何なる方向に延在していても良い（例えば、曲線であっても良い）。
【００２７】
また、上記実施形態の玉軸受では、複数の通路１６は、第１環状部１１の周方向に略同一の間隔で離間されて配置されていたが、この発明では、複数の通路は、周方向に略同一の間隔でない間隔で、互いに間隔をおいて配置されていても良い。また、この発明では、環状部に、凹部と環状部の外周面とを連通する通路を、一つのみ形成しても良い。
【００２８】
また、上記実施形態の玉軸受では、保持器４が、環状部１１,１２を二つ有し、二つの保持器１１,１２のうちで、オイルエアの導入側に配置されている第１環状部１１のみに、凹部である環状部１５と、通路１６とを形成したが、この発明では、保持器が、環状部を一つしか有さない所謂冠型保持器であって、冠型保持器の唯一の環状部に凹部および通路を形成する構成であっても良い。
【００２９】
また、上記実施形態の玉軸受では、保持器４が環状部１１,１２を二つ有し、その一方の環状部１１のみに環状溝１５および通路１６を形成したが、この発明の転がり軸受は、オイルエアが軸方向の両側から軸方向の内側に導入される構成であって、保持器が二つの環状部を有し、その二つの環状部の夫々に、凹部および通路を形成しても良い。また、上記実施形態では、転動体が、玉３であったが、この発明では、転動体は、円筒ころ、円錐ころまたは凸面ころ等の玉以外の転動体であっても良い。
【００３０】
図２は、本発明の転がり軸受のそのような実施形態である円筒ころ軸受の軸方向の模式断面図である。
【００３１】
この円筒ころ軸受は、外輪１０１、内輪１０２、複数の円筒ころ１０３および保持器１０４を備え、複数の円筒ころ１０３は、外輪１０１と内輪１０２との間に、保持器１０４で保持された状態で、互いに間隔をおいて配置されている。
【００３２】
上記保持器１０４は、円筒ころ軸受の軸方向の二等分面に対して、略対称に位置している。また、上記保持器１０４は、図１に１１で示す第１環状部１１と同一の構造を有する第１環状部１１１および第２環状部１１２を有すると共に、第１環状部１１１と第２環状部１１２とを連結する複数の柱部を有している。
【００３３】
この円筒ころ軸受には、オイルエアが軸方向の両側から軸方向の内側に導入されるようになっている。すなわち、軸方向の一方の側の軸方向の外部からオイルエアＢが、また、軸方向の他方の側の軸方向の外部からオイルエアＣが、外輪１０１と内輪１０２との間に向けて導入されるようになっている。
【００３４】
この実施形態のように、保持器の二つの環状部の夫々に、凹部および通路を形成しておくと、オイルエアが、軸方向の一方の側のみから導入される環境に配置される場合においては、転がり軸受の軸方向のどちらの側を、オイルエア導入側に向けても良く、転がり軸受の設置の自由度を２倍にすることができる。
【００３５】
また、オイルエアが、軸方向の両方の側から導入される環境に配置される場合においては、外輪に案内される、保持器の二つの環状部の外周面の両方の焼付きを防止できると共に、上記二つの環状部の外周面の両方の挙動を安定させることができて、トルクを大きく低減することができる。
【００３６】
尚、この実施形態では、第１環状部１１１と、第２環状部１１２とが、略同一であった。しかしながら、この発明の転がり軸受において、保持器が二つの環状部を有していて、二つの環状部の夫々が、凹部および通路を有している場合において、二つの環状部は、同一でなくても良い。例えば、二つの環状部において、凹部および通路の少なくとも一方の構造が異なっていても良い。また、二つの環状部において、大きさが異なっていても良く、凹部および通路以外の形状および構造が異なっていても良い。
【図面の簡単な説明】
【００３７】
【図１】本発明の転がり軸受の一実施形態であるアンギュラ玉軸受の軸方向の模式断面図である。
【図２】本発明の転がり軸受の他の実施形態である円筒ころ軸受の軸方向の模式断面図である。
【符号の説明】
【００３８】
１,１０１  外輪
２,１０１  内輪
３  玉
４,１０４  保持器
１１,１１１  第１環状部
１２,１１２  第２環状部
１５  環状溝
１６  通路
１０３  円筒ころ
Ａ,Ｂ,Ｃ  オイルエア
【図１】
2010053930.tif 000003
【図２】
2010053930.tif 000004